(57)【特許請求の範囲】
【請求項１】
導線の一部の全外周面を囲んで、シリコーンゴムに磁性粉を混合して形成された電波吸収体が設けられた接続端子と、金属性の隔壁によって内部が二つの区画室に区分けされた金属性の枠体と、それぞれ前記区画室に収納され、高周波の回路を形成したプリント基板とを備え、前記隔壁には孔が設けられ、前記孔内には、前記電波吸収体が弾接、保持された状態で、前記接続端子を取り付けると共に、それぞれの前記区画室内に突出した前記導線の端部が前記プリント基板に形成された前記回路に接続され、前記一方の区画室に配置した前記プリント基板には、衛星放送受信用の低域周波数帯用回路を形成し、又、前記もう一方の区画室に配置した前記プリント基板には、衛星放送受信用の高域周波数帯用回路を形成し、前記接続端子を電源供給端子として使用したことを特徴とする電子機器。
【発明の詳細な説明】
【０００１】
【発明の属する技術分野】
本発明は、衛星放送受信等の高周波用等のの電子機器に使用される接続端子、及びその接続端子を使用した電子機器に関する。
【０００２】
【従来の技術】
従来の衛星放送受信機器等の電子機器に用いられる接続端子、及びその電子機器を、図９、図１０に基づいて説明する。
従来の接続端子１０は、図９に示すように、導電性の材料から成る導線１０ａの外周に、テフロン等の合成樹脂から成る柱状の絶縁部材１０ｂを形成して、絶縁部材１０ｂの両端から前記導線１０ａの端部を突出させて構成されている。
そして、このような接続端子１０を使用する電子機器は，図１０に示すように、金属製の枠体１１は、側壁１１ａと隔壁１１ｂとで二つの区画室１１ｃ，１１ｄが形成されている。
【０００３】
また、前記隔壁１１ｂには、区画室１１ｃと１１ｄとを連通する孔１１ｅが設けられると共に、この隔壁１１ｂには、衛星放送受信用の回路（図示せず）を形成したプリント基板１２ａ、１２ｂが、区画室１１ｃ，１１ｄ内に位置した状態で取り付けられている。
そして、前記孔１１ｅ内に、前記接続端子１０の絶縁部材１０ｂを遊嵌させて、導線１０ａを隔壁１１ｂから絶縁し、導線１０ａの端部をそれぞれ区画室１１ｃ、１１ｄに突出し、その端部を前記プリント基板１２ａ、１２ｂに形成された回路に、半田によって接続することによって、二つの高周波の回路が接続されている。
そして、区画室１１ｃ，１１ｄの開放部は、蓋体１３ａ，１３ｂによって閉塞されている。
【０００４】
また、上述した従来の電子機器の組立は、先ず、枠体１１の区画室１１ｄ内にプリント基板１２ｂを挿入し、プリント基板１２ｂを、接続端子１０の導線１０ａの端部が挿入される孔（図示せず）と枠体１１の孔１１ｅとを位置合わせしながら、隔壁１１ｂにネジ止め等によって取り付ける。
次に、区画室１１ｃ側より接続端子１０を、その導線１０ａの端部側から隔壁１１ｂの孔１１ｅに挿入し、導線１０ａをプリント基板１２ｂの孔に挿通すると共に、孔１１ｅに絶縁部材１０ｂを遊嵌する。
次いで、プリント基板１２ａを区画室１１ｃ内に挿入し、プリント基板１１ａの孔（図示せず）に、接続端子１０の導線１０ａを挿通した状態で、プリント基板１１ａを隔壁１１ｂにネジ止め等で取り付ける。
しかる後、導線１０ａをプリント基板１２ａ，１２ｂに半田付けした後、蓋体１３ａ、１３ｂを枠体１１に取り付ければ、組立は完了する。
【０００５】
【発明が解決しようとする課題】
このような従来の接続端子１０は、合成樹脂の絶縁部材１０ｂを、導線１０ａの外周に形成したものであり、絶縁部材１０ｂは信号レベルを低下させないで、伝送する作用を持っているため、不要信号をも合わせて伝送され、不要信号を減衰することが出来ないと言う問題がある。
従って、このような接続端子１０を、高周波の回路に用いると、不要信号の漏れを防ぐことが出来ず、高性能の電子機器が得られないという問題がある。
また、従来の接続端子１０は、その絶縁部材１０ｂが合成樹脂の硬い材料で構成されているため、隔壁１１ｂの孔１１ｅには圧入すると割れを起こすため、絶縁部材１０ｂは孔１１ｅに遊嵌する構成となり、隔壁１１ｂに仮止め出来ない。
このため、組立時、プリント基板１２ｂは孔１１ｅのセンターと、導線１０ａの端部が挿入される孔とを位置合わせしながら組み込みを行わねば成らず、その組立が面倒で、作業性が悪いという問題がある。
更に、前述のようにして取り付けられたプリント基板１２ｂの孔の位置は、隔壁１１ｂの孔１１ｅ内でバラツキ、従って、プリント基板１２ｂの組立後、接続端子１０を隔壁１１ｂの孔１１ｅに挿入して、導線１０ａの端部をプリント基板１２ｂの孔に挿通するとき、手間が掛かり、作業性が悪いという問題がある。
【０００６】
【課題を解決するための手段】
上述した課題を解決するための解決手段として、導線の一部の全外周面を囲んで、シリコーンゴムに磁性粉を混合して形成された電波吸収体が設けられた接続端子と、金属性の隔壁によって内部が二つの区画室に区分けされた金属性の枠体と、それぞれ前記区画室に収納され、高周波の回路を形成したプリント基板とを備え、前記隔壁には孔が設けられ、前記孔内には、前記電波吸収体が弾接、保持された状態で、前記接続端子を取り付けると共に、それぞれの前記区画室内に突出した前記導線の端部が前記プリント基板に形成された前記回路に接続され、前記一方の区画室に配置した前記プリント基板には、衛星放送受信用の低域周波数帯用回路を形成し、又、前記もう一方の区画室に配置した前記プリント基板には、衛星放送受信用の高域周波数帯用回路を形成し、前記接続端子を電源供給端子として使用した構成とした。
【０００７】
【発明の実施の形態】
次に、本発明における接続端子、及びその接続端子を使用した電子機器の一実施例について、図１ー図３に基づいて説明する。
図１は本発明の一実施例に係る接続端子の斜視図、図２はこの接続端子を使用した一実施例に係わる電子機器の要部断面図、図３はこの電子機器の分解斜視図である。
そして、本発明の接続端子１は、図１に示すように、導電性の材料から成る導線１ａと、シリコーンゴムにフエライト粉末等の磁性粉を混合して形成された弾性のある電波吸収体１ｂを、前記導線１ａの一部の外周を囲んで設け、電波吸収体１ｂの両端から導線１ａの一部を外方に突出させて構成されている。
【０００８】
また、このような接続端子１を使用する衛星放送受信等の高周波の電子機器、例えば、衛星放送受信用のダウンコンバータを例に説明すると、電子機器であるダウンコンバータは図２、図３に示すように、金属性から成る箱形の枠体２は、周囲を囲む側壁２ａと、枠体２の内部を上・下に区分けする隔壁２ｂと、この隔壁２ｂと前記側壁２ａとによって形成された低域周波数帯用回路を収納するための区画室２ｃ、及び高域周波数帯用回路を収納するための区画室２ｄと、隔壁２ｂに設けられ、区画室２ｃと２ｄとに連通する孔２ｅとが設けられた構成となっている。
【０００９】
また、低域周波数帯用回路（図示せず）を形成したプリント基板３ａは、区画室２ｃ内において隔壁２ｂ上にネジ止め等によって取り付けられ、また、高域周波数帯用回路（図示せず）を形成したプリント基板３ｂは、区画室２ｄ内において隔壁２ｂ上にネジ止め等によって取り付けられている。
そして、前記接続端子１は、その電波吸収体１ｂが隔壁２ｂの孔２ｅ内に位置して、孔２ｅ内に弾接し、導線１ａの端部がそれぞれ区画室２ｃ，２ｄ内に突出し、その端部がプリント基板３ａ、３ｂの孔３ｃ，３ｄに挿通されて、プリント基板３ａ、３ｂに形成された高周波の回路に、半田付けによって接続されている。
【００１０】
また、この接続端子１には、ここでは図示しないが、枠体２に取り付けられた端子を介して電源が供給され、接続端子２は電源供給用端子として使用され、低域周波数帯用回路と高域周波数帯用回路に電源を供給するものであり、この接続端子１の電波吸収体１ｂの作用によって、低域周波数帯用回路側の発振信号の高域周波数帯用回路側への漏れ、及び高域周波数帯用回路側の発振信号の低域周波数帯用回路側への漏れを防止する。
更に、区画室２ｃ，２ｄの開放部は蓋体４ａ、４ｂによって閉塞され、区画室２ｃ，２ｄは電気的に遮蔽された状態になっている。
【００１１】
次に、本発明の電子機器の組立を説明すると、先ず、枠体２の孔２ｅ内に、接続端子１の電波吸収体１ｂを圧入し、接続端子１を枠体２に仮止めする。
次に、プリント基板３ｂを、区画室２ｄに挿入して、孔３ｄに導線１ａを挿通すると共に、プリント基板３ｂを隔壁２ｂにネジ止め等によって取り付ける。
次いで、プリント基板３ａを、区画室２ｃに挿入して、孔３ｃに導線１ａを挿通すると共に、プリント基板３ａを隔壁２ｂにネジ止め等によって取り付ける。
しかる後、導線１ａの端部を、それぞれプリント基板３ａ、３ｂに形成した回路に半田付けし、最後に、蓋体４ａ、４ｂを枠体１に取り付けると、組立は完了する。
【００１２】
また、図４ー図８は本発明における接続端子の他の実施例を示し、図４に示す接続端子１は、電波吸収体１ｂを設けた導線１ａをクランク状にし、上下、或いは左右に配置されたプリント基板への異なる位置に対する接続を容易にしたもので、また、図５に示す接続端子１は、電波吸収体１ｂを設けた導線１ａをＬ字状にし、直角に配置したプリント基板への接続を容易にしたもので、また、図６、図７に示す接続端子１は、電波吸収体１ｂを設けた導線１ａをＵ字状にし、一枚のプリント基板、或いは二枚の並列したプリント基板への接続を容易にしたもので、更に、図８に示す接続端子１は、二本の並列した導線１ａに電波吸収体１ｂを設けて、複数個の導線１ａのプリント基板への接続を容易にしたものである。
また、上記以外に、導線１ａ、及び電波吸収体１ｂの形状は種々選択出来ること勿論である。
【００１３】
【発明の効果】
本発明によれば、接続端子は、導線に電波吸収体を設けて構成したものあるため、不要信号を減衰する接続端子を提供でき、また、電波吸収体の両端部から、導線の一部を突出させるため、接続端子の形状の種々のものを提供でき、融通性のある接続端子が提供できると共に、電波吸収体の両端部で、プリント基板などの位置決めが可能となって、組立性の良好な接続端子を提供できる。
また、電波吸収体を、シリコーンゴムに磁性粉を混合したものであるため、電波吸収体は弾性を備え、従って、孔等への仮止めが可能となって、組立性が向上すると共に、プリント基板等に電波吸収体の端部が弾接し、振動によるノイズを軽減できる。
【００１４】
また、高周波の二つの回路間を、導線の外周に電波吸収体を設けて成る接続端子で接続したため、一方の回路から他方への回路への不要信号の漏れを防止でき、性能の良好な電子機器を提供できる。
また、枠体の孔内に、接続端子の電波吸収体を位置させるため、電波吸収体は孔内で弾接し、接続端子の仮止めが可能となり、組立性の良好な電子機器を提供できる。
また、二つに区分けされた区画室に、高周波の回路を形成したプリント基板を収納し、電波吸収体を設けた接続端子で両回路を接続したため、特に、衛星放送受信用として高性能の電子機器が提供できる。
更に、この接続端子を、衛星放送受信用の低域と高域の周波数帯用回路の電源供給用端子として使用することによって、それぞれの発振信号の相互への漏れを無くすることが出来、高性能の衛星放送受信用の電子機器が提供できる。
【図面の簡単な説明】
【図１】本発明の接続端子の一実施例を示す斜視図。
【図２】本発明の接続端子を使用した一実施に係わる電子機器の要部断面図。
【図３】本発明の電子機器の分解斜視図。
【図４】本発明の接続端子の他の実施例を示す斜視図。
【図５】本発明の接続端子の他の実施例を示す斜視図。
【図６】本発明の接続端子の他の実施例を示す斜視図。
【図７】本発明の接続端子の他の実施例を示す斜視図。
【図８】本発明の接続端子の他の実施例を示す斜視図。
【図９】従来の接続端子の斜視図。
【図１０】従来の接続端子を使用した電子機器の要部断面図。
【符号の説明】
１  接続端子
１ａ  導線
１ｂ  電波吸収体
２  枠体
２ａ  側壁
２ｂ  隔壁
２ｃ，２ｄ  区画室
２ｅ  孔
３ａ，３ｂ  プリント基板
３ｃ，３ｄ  孔
４ａ、４ｂ  蓋体
【図１】
0003664554.tif 000002
【図２】
0003664554.tif 000003
【図３】
0003664554.tif 000004
【図４】
0003664554.tif 000005
【図５】
0003664554.tif 000006
【図６】
0003664554.tif 000007
【図７】
0003664554.tif 000008
【図８】
0003664554.tif 000009
【図９】
0003664554.tif 000010
【図１０】
0003664554.tif 000011